【手続補正書】
【提出日】平成24年6月15日(2012.6.15)
【手続補正１】
【補正対象書類名】明細書
【補正対象項目名】０００８
【補正方法】変更
【補正の内容】
【０００８】
前記課題を解決するために、請求項１に記載のネイルプリント装置は、
デザイン画像を構成している複数のデザインパーツ毎にサイズデータ、位置データ、イメージデータが対応付けられて複数組記憶されている記憶手段と、
指を撮影して指爪画像を得る撮影手段と、この撮影手段によって取得された前記指爪画像から爪領域を抽出し、この爪領域の面積と横方向及び縦方向の長さ寸法とを検出する爪領域情報検出手段と、ユーザにより選択された一つのデザイン画像を前記記憶手段から読み出して、この読み出されたデザイン画像に含まれている前記各デザインパーツのサイズデータ及び位置データと、前記爪領域情報検出手段により検出された前記爪領域の面積、横方向及び縦方向の長さ寸法とに基づいて、前記各デザインパーツの印刷サイズ及び印刷位置を算出するパーツレイアウト算出手段と、を備えていることを特徴としている。
【手続補正２】
【補正対象書類名】明細書
【補正対象項目名】０００９
【補正方法】変更
【補正の内容】
【０００９】
また、請求項２に記載の発明は、請求項１に記載のネイルプリント装置において、
前記パーツレイアウト算出手段により算出された各デザインパーツの印刷サイズ及び印刷位置と、前記記憶手段から読み出されたデザイン画像に含まれている各デザインパーツのイメージデータとに基づいて前記爪領域に印刷を施すための印刷用データを生成する印刷用データ生成手段と、
前記印刷用データ生成手段により生成された前記印刷用データに従って前記爪領域に印刷を施す印刷手段と、
を備えることを特徴としている。
更に、請求項３に記載の発明は、請求項１または２に記載のネイルプリント装置において、
前記各デザインパーツのサイズデータは、前記デザイン画像を基準爪モデル上に配置した場合における各デザインパーツの面積と前記基準爪モデルの面積との相対的な面積比率により前記各デザインパーツのサイズを特定するものであり、
前記各デザインパーツの位置データは、前記基準爪モデルの横方向の長さ及び縦方向の長さを基準としたときの相対的な位置関係により前記各デザインパーツの位置を特定するものであって、
前記パーツレイアウト算出手段は、前記基準爪モデルの面積並びに横方向及び縦方向の長さ寸法を前記爪領域情報検出手段により検出された前記爪領域の面積並びに横方向及び縦方向の長さ寸法に置き換えて、前記各デザインパーツの印刷サイズ及び印刷位置を算出するものであることを特徴としている。
【手続補正３】
【補正対象書類名】明細書
【補正対象項目名】００１０
【補正方法】変更
【補正の内容】
【００１０】
また、請求項４に記載の印刷制御方法は、
指を撮影して指爪画像を得る撮影ステップと、
この撮影ステップにおいて取得された前記指爪画像から爪領域を抽出し、この爪領域の面積と横方向及び縦方向の長さ寸法とを検出する爪領域情報検出ステップと、
デザイン画像を構成している複数のデザインパーツ毎にサイズデータ、位置データ、イメージデータが対応付けられて複数組記憶されている記憶手段の中から一つのデザイン画像が選択されると、この選択された一つのデザイン画像を前記記憶手段から読み出して、この読み出されたデザイン画像に含まれている前記各デザインパーツのサイズ及び位置と、前記爪領域情報検出ステップにおいて検出された前記爪領域の面積、横方向及び縦方向の長さ寸法とに基づいて、前記各デザインパーツの印刷サイズ及び印刷位置を算出するパーツレイアウト算出ステップと、を含んでいることを特徴としている。
【手続補正４】
【補正対象書類名】明細書
【補正対象項目名】００１１
【補正方法】変更
【補正の内容】
【００１１】
また、請求項５に記載の発明は、請求項４に記載の印刷制御方法において、
前記パーツレイアウト算出ステップにおいて算出された各デザインパーツの印刷サイズ及び印刷位置と、前記記憶手段から読み出されたデザイン画像に含まれている各デザインパーツのイメージデータとに基づいて前記爪領域に印刷を施すための印刷用データを生成する印刷用データ生成ステップと、
前記印刷用データ生成ステップにおいて生成された前記印刷用データに従って前記爪領域に印刷を施す印刷ステップと、
を含んでいることを特徴としている。
更に、請求項６に記載の発明は、請求項４または５に記載の印刷制御方法において、
前記各デザインパーツのサイズデータは、前記デザイン画像を基準爪モデル上に配置した場合における各デザインパーツの面積と前記基準爪モデルの面積との相対的な面積比率により前記各デザインパーツのサイズを特定するものであり、
前記各デザインパーツの位置データは、前記基準爪モデルの横方向の長さ及び縦方向の長さを基準としたときの相対的な位置関係により前記各デザインパーツの位置を特定するものであって、
前記パーツレイアウト算出ステップは、前記基準爪モデルの面積並びに横方向及び縦方
向の長さ寸法を前記爪領域情報検出ステップにおいて検出された前記爪領域の面積並びに横方向及び縦方向の長さ寸法に置き換えて、前記各デザインパーツの印刷サイズ及び印刷位置を算出するものであることを特徴としている。
【手続補正５】
【補正対象書類名】明細書
【補正対象項目名】００１２
【補正方法】変更
【補正の内容】
【００１２】
請求項１、請求項２、請求項４、請求項５に記載の発明によれば、爪領域Ｔａに印刷する複数のデザインパーツから構成されているデザイン画像のデータが、個々のデザインパーツ毎にサイズデータ、位置データ、イメージデータが対応付けられた形で記憶されており、ユーザの爪領域の爪領域の面積並びに横方向及び縦方向の長さ寸法に応じて、デザイン画像の大きさや形状を調整する際に、各デザインパーツ毎にその印刷サイズ、印刷位置を算出することができる。このため、デザイン画像全体を一つのデータとして保持してデザイン画像全体の縮尺率を変えて印刷用データを生成する場合と異なり、各デザインパーツの形状が崩れたり、各デザインパーツ間の位置関係、各デザインパーツと爪領域の端部との位置関係が変わるのを防ぐことができ、ユーザが選択したデザイン画像をそのイメージに近い形でユーザの爪領域に印刷することができるとの効果を奏する。
また、請求項３及び請求項６に記載の発明によれば、各デザインパーツのサイズデータを基準爪モデルの面積との相対的な面積比率とし、各デザインパーツの位置データについても基準爪モデルの横方向の長さ及び縦方向の長さを基準としたときの相対的な位置関係を示す値としている。このため、基準爪モデルの面積及び横方向及び縦方向の長さ寸法を爪領域情報検出手段により検出されたユーザの爪領域の面積及び横方向及び縦方向の長さ寸法に置き換えることにより、当該ユーザの爪領域に応じた印刷サイズ、印刷位置を容易に算出することができ、様々な大きさや形状の爪領域に簡易に対応することができるとの効果を奏する。
【手続補正６】
【補正対象書類名】特許請求の範囲
【補正対象項目名】全文
【補正方法】変更
【補正の内容】
【特許請求の範囲】
【請求項１】
デザイン画像を構成している複数のデザインパーツ毎にサイズデータ、位置データ、イメージデータが対応付けられて複数組記憶されている記憶手段と、
指を撮影して指爪画像を得る撮影手段と、
この撮影手段によって取得された前記指爪画像から爪領域を抽出し、この爪領域の面積と横方向及び縦方向の長さ寸法とを検出する爪領域情報検出手段と、
ユーザにより選択された一つのデザイン画像を前記記憶手段から読み出して、この読み出されたデザイン画像に含まれている前記各デザインパーツのサイズデータ及び位置データと、前記爪領域情報検出手段により検出された前記爪領域の面積、横方向及び縦方向の長さ寸法とに基づいて、前記各デザインパーツの印刷サイズ及び印刷位置を算出するパーツレイアウト算出手段と、
を備えていることを特徴とするネイルプリント装置。
【請求項２】
前記パーツレイアウト算出手段により算出された各デザインパーツの印刷サイズ及び印刷位置と、前記記憶手段から読み出されたデザイン画像に含まれている各デザインパーツのイメージデータとに基づいて前記爪領域に印刷を施すための印刷用データを生成する印刷用データ生成手段と、
前記印刷用データ生成手段により生成された前記印刷用データに従って前記爪領域に印刷を施す印刷手段と、
を備えることを特徴とする請求項１に記載のネイルプリント装置。
【請求項３】
前記各デザインパーツのサイズデータは、前記デザイン画像を基準爪モデル上に配置した場合における各デザインパーツの面積と前記基準爪モデルの面積との相対的な面積比率により前記各デザインパーツのサイズを特定するものであり、
前記各デザインパーツの位置データは、前記基準爪モデルの横方向の長さ及び縦方向の長さを基準としたときの相対的な位置関係により前記各デザインパーツの位置を特定するものであって、
前記パーツレイアウト算出手段は、前記基準爪モデルの面積並びに横方向及び縦方向の長さ寸法を前記爪領域情報検出手段により検出された前記爪領域の面積並びに横方向及び縦方向の長さ寸法に置き換えて、前記各デザインパーツの印刷サイズ及び印刷位置を算出するものであることを特徴とする請求項１または２に記載のネイルプリント装置。
【請求項４】
指を撮影して指爪画像を得る撮影ステップと、
この撮影ステップにおいて取得された前記指爪画像から爪領域を抽出し、この爪領域の面積と横方向及び縦方向の長さ寸法とを検出する爪領域情報検出ステップと、
デザイン画像を構成している複数のデザインパーツ毎にサイズデータ、位置データ、イメージデータが対応付けられて複数組記憶されている記憶手段の中から一つのデザイン画像が選択されると、この選択された一つのデザイン画像を前記記憶手段から読み出して、この読み出されたデザイン画像に含まれている前記各デザインパーツのサイズ及び位置と、前記爪領域情報検出ステップにおいて検出された前記爪領域の面積、横方向及び縦方向の長さ寸法とに基づいて、前記各デザインパーツの印刷サイズ及び印刷位置を算出するパーツレイアウト算出ステップと、
を含んでいることを特徴とする印刷制御方法。
【請求項５】
前記パーツレイアウト算出ステップにおいて算出された各デザインパーツの印刷サイズ及び印刷位置と、前記記憶手段から読み出されたデザイン画像に含まれている各デザインパーツのイメージデータとに基づいて前記爪領域に印刷を施すための印刷用データを生成する印刷用データ生成ステップと、
前記印刷用データ生成ステップにおいて生成された前記印刷用データに従って前記爪領域に印刷を施す印刷ステップと、
を含んでいることを特徴とする請求項４に記載の印刷制御方法。
【請求項６】
前記各デザインパーツのサイズデータは、前記デザイン画像を基準爪モデル上に配置した場合における各デザインパーツの面積と前記基準爪モデルの面積との相対的な面積比率により前記各デザインパーツのサイズを特定するものであり、
前記各デザインパーツの位置データは、前記基準爪モデルの横方向の長さ及び縦方向の長さを基準としたときの相対的な位置関係により前記各デザインパーツの位置を特定するものであって、
前記パーツレイアウト算出ステップは、前記基準爪モデルの面積並びに横方向及び縦方向の長さ寸法を前記爪領域情報検出ステップにおいて検出された前記爪領域の面積並びに横方向及び縦方向の長さ寸法に置き換えて、前記各デザインパーツの印刷サイズ及び印刷位置を算出するものであることを特徴とする請求項４または５に記載の印刷制御方法。